(57)【要約】【課題】  本発明は、装置本体からの振動が記憶装置が設けられた筐体に伝達し難い固定装置を提供する。【解決手段】  情報を記憶する記憶装置が設けられたＨＤＤ８を装置本体フレーム２に固定する固定装置１であって、ＨＤＤ８の一面に接触して取り付けられるゴムダンパ10と、ゴムダンパ10を取り付ける取付部材11と、取付部材11の少なくとも一面に取り付けられて装置本体フレーム２と接触するゴムダンパ17と、を有し、ゴムダンパ10が取付部材11に取り付けられている取付方向と、ゴムダンパ17が取付部材11に取り付けられている取付方向とは異なる取付方向に取り付けられ、ＨＤＤ８が、ゴムダンパ10とゴムダンパ17が取り付けられた取付部材11を介して装置本体フレーム２に取り付けられることを特徴とする。【選択図】      図７
2015049913.tif 000002
【特許請求の範囲】
【請求項１】
情報を記憶する記憶装置が設けられた筐体を装置本体に固定する固定装置であって、
前記筐体の一面に接触して取り付けられる第一の防振部材と、
前記第一の防振部材を取り付ける取付部材と、
前記取付部材の少なくとも一面に取り付けられて前記装置本体と接触する第二の防振部材と、
を有し、
前記第一の防振部材が前記取付部材に取り付けられている取付方向と、前記第二の防振部材が前記取付部材に取り付けられている取付方向とは異なる取付方向に取り付けられ、
前記筐体が、前記第一の防振部材と前記第二の防振部材が取り付けられた前記取付部材を介して前記装置本体に取り付けられることを特徴とする固定装置。
【請求項２】
前記第一の防振部材が前記取付部材に取り付けられている取付方向と、前記第二の防振部材が前記取付部材に取り付けられている取付方向とが直交することを特徴とする請求項１に記載の固定装置。
【請求項３】
前記記憶装置が設けられた筐体の固有振動数が、前記固定装置全体の固有振動数と異なることを特徴とする請求項１または請求項２に記載の固定装置。
【請求項４】
前記筐体内に設置された磁気ヘッドが取り付けられている支持部材の固有振動数が、前記固定装置全体の固有振動数と異なることを特徴とする請求項１〜３のいずれか１項に記載の固定装置。
【請求項５】
前記記憶装置が設けられた筐体に設けられる電気端子と、前記装置本体の電気端子とを電気的に接続する接続部材を有することを特徴とする請求項１〜４のいずれか１項に記載の固定装置。
【請求項６】
前記記憶装置はハードディスクであり、前記筐体はハードディスクドライブユニットであることを特徴とする請求項１〜５のいずれか１項に記載の固定装置。
【発明の詳細な説明】
【技術分野】
【０００１】
本発明は振動する装置本体に固定される記憶装置の固定装置に関する。
【背景技術】
【０００２】
ハードディスクドライブ装置（以下、「ＨＤＤ；（Hard Disk Drive）」という）等の記憶装置では、記録量の大容量を実現するために情報の記録密度は極めて大きく、情報の読み書きを行うヘッドの位置決めには高精度を要する。このため、外部からの振動や衝撃に対しては弱く、振動環境下では正常な読み書きが行えなくなったり、ヘッドやハードディスク自体を機械的な衝撃等で破損させてしまうおそれがある。
【０００３】
特許文献１では、ＨＤＤユニットにおけるＨＤＤの筐体に対する取り付け、取り外しの容易化と防振を図るためにＨＤＤと、ＨＤＤが取り付けられる筐体とを備えるＨＤＤユニットを有する。ＨＤＤユニットは筐体に取り付けられた弾性部材と、弾性部材に支持されて筐体に取り付けられた取付基台とを備え、取付基台にＨＤＤが取り付けられる。
【０００４】
また、前記ＨＤＤユニットにおいて、ＨＤＤが第２の弾性部材に支持されて取付基台に取り付けられることが好ましいことが提案されている。これは従来のＨＤＤが弾性部材を介して筐体に取り付けられる構造では、防振部材を固定するために座金等の小部品が必要で、ＨＤＤを取り外すと固定ネジ以外にこの小部品が取り外されてしまう。そのため、ＨＤＤの取り付け、取り外しを行う際には固定ネジに加えて小部品を管理する必要があり、作業が煩雑となっていた。
【０００５】
また、特許文献２では、記憶装置の装填不良を抑制する。更に、振動による不具合を防止する。記憶装置の装填を受けてこれを保持する被装填部材と、被装填部材における特定方向の部分及び該特定方向以外の方向の部分と装置本体との間にそれぞれ配置された弾性を有する第１の制振部材及び第２の制振部材とを有する。そして、第１の制振部材の振動減衰率が、第２の制振部材の振動減衰率よりも低い。
【先行技術文献】
【特許文献】
【０００６】
【特許文献１】特開２００５−１９６８６５号公報
【特許文献２】特開２００５−１７４４７６号公報
【発明の概要】
【発明が解決しようとする課題】
【０００７】
ＨＤＤは振動によって書き込み速度、読み取り速度の低下、故障などの不具合が起きる。振動の加速度が大きいほど不具合が起こり易い。また、特定の周波数もしくは特定の周波数域に特に不具合が起き易い。
【０００８】
特定の周波数はＨＤＤのディスク平面と平行な短手方向と、ディスク平面と平行な長手方向と、ディクス平面に垂直な方向とによって異なる。また、メーカーや型式によっても異なっている。そのため特許文献１に記述されたようにＨＤＤの一面に防振部材を取り付けただけでは不十分である。ＨＤＤにおける上記各方向において、特に不具合が起き易い特定の周波域外に固有振動数を設定する必要が有る。
【０００９】
また、特許文献２に記述された構成では、記憶装置収納室の固有振動数は１つであり、ＨＤＤの各方向において特に不具合が起き易い特定の周波域外に固有振動数を設定することは困難である。
【００１０】
本発明は前記課題を解決するものであり、その目的とするところは、装置本体からの振動が記憶装置が設けられた筐体に伝達し難い固定装置を提供するものである。
【課題を解決するための手段】
【００１１】
前記目的を達成するための本発明に係る固定装置の代表的な構成は、情報を記憶する記憶装置が設けられた筐体を装置本体に固定する固定装置であって、前記筐体の一面に接触して取り付けられる第一の防振部材と、前記第一の防振部材を取り付ける取付部材と、前記取付部材の少なくとも一面に取り付けられて前記装置本体と接触する第二の防振部材と、を有し、前記第一の防振部材が前記取付部材に取り付けられている取付方向と、前記第二の防振部材が前記取付部材に取り付けられている取付方向とは異なる取付方向に取り付けられ、前記筐体が、前記第一の防振部材と前記第二の防振部材が取り付けられた前記取付部材を介して前記装置本体に取り付けられることを特徴とする。
【発明の効果】
【００１２】
上記構成によれば、筐体と取付部材との間に第一の防振部材を設け、取付部材と装置本体との間に第二の防振部材を設けたことで、記憶装置が設けられた筐体の固有振動数を特に不具合が起き易い特定の周波域外に固有振動数を設定することが可能である。
【図面の簡単な説明】
【００１３】
【図１】本発明に係る固定装置の第１実施形態により記憶装置が設けられた筐体が装置本体に固定された様子を示す斜視説明図である。
【図２】第１実施形態において、記憶装置が設けられた筐体を着脱するために収容ユニットの扉を解放した様子を示す斜視説明図である。
【図３】（ａ）は第１実施形態において、記憶装置が設けられた筐体を収容する収容ユニットを扉側から見た正面説明図である。（ｂ）は（ａ）の防振部材の取付構造を示す拡大断面図である。
【図４】第１実施形態において、記憶装置が設けられた筐体を収容する収容ユニットの構成を示す斜視説明図である。
【図５】第１実施形態において、記憶装置が設けられた筐体を収容する収容ユニットを装置本体に固定した様子を示す断面説明図である。
【図６】第１実施形態において、装置本体に固定した収容ユニット内に記憶装置が設けられた筐体を収容する様子を示す斜視説明図である。
【図７】第１実施形態において、装置本体に固定した収容ユニット内に記憶装置が設けられた筐体が収容安置された様子を示す断面説明図である。
【図８】本発明に係る固定装置の第２実施形態において、装置本体に固定した収容ユニット内に記憶装置が設けられた筐体を収容する様子を示す斜視説明図である。
【図９】（ａ）は第２実施形態において、装置本体に固定した収容ユニット内に記憶装置が設けられた筐体が収容安置された様子を示す断面説明図である。（ｂ）は第２実施形態において、装置本体に固定した収容ユニット内に記憶装置が設けられた筐体が収容安置された様子を示す斜視説明図である。
【図１０】（ａ）は第２実施形態において、装置本体に固定した収容ユニット内を開口側から見た正面説明図である。（ｂ）は第２実施形態において、装置本体に固定した収容ユニット内に記憶装置が設けられた筐体が収容安置された様子を示す断面説明図である。
【図１１】第２実施形態において、装置本体に固定した収容ユニット内に記憶装置が設けられた筐体が収容安置された様子を開口側から見た正面説明図である。
【図１２】記憶装置が設けられた筐体内に設置された磁気ヘッドが取り付けられている支持部材の構成を示す斜視説明図である。
【発明を実施するための形態】
【００１４】
図により本発明に係る固定装置の一実施形態を具体的に説明する。
【実施例１】
【００１５】
先ず、図１〜図７を用いて本発明に係る固定装置の第１実施形態の構成について説明する。図１はハードディスクドライブ（以下、「ＨＤＤ（Hard Disk Drive）」という）ユニット３（ハードディスクドライブユニット）を装置本体フレーム２に固定する固定装置１の構成を示す斜視説明図である。
【００１６】
図１及び図２において、固定装置１は情報を記憶する記憶装置となるハードディスク29が設けられた筐体となるＨＤＤ８を有する。図３に示すＨＤＤ８の一面となる上面８ａ及び下面８ｂに接触して取り付けられた第一の防振部材となるゴムダンパ10を取り付ける取付部材11を備えたＨＤＤユニット３を有する。
【００１７】
固定装置１は、図２に示すように、箱形のＨＤＤユニット３と、該ＨＤＤユニット３を内部に収容する箱形の収容ユニット４とに分かれている。収容ユニット４はヒンジ５を中心に回動して開閉可能な扉６を有する。ユーザは扉６に設けられた摘み部７を把持して該扉６をヒンジ５を中心に図２の矢印Ａ方向に回動することで扉６を開閉することが出来る。
【００１８】
図３（ａ）はＨＤＤユニット３を扉６側から見た正面説明図である。図３（ａ）に示すように、ＨＤＤ８は図３（ａ）の矢印Ｂ方向で示すハードディスク29平面に平行な短手方向の二面となる図３（ａ）に示す上面８ａと下面８ｂとに第一の防振部材となる弾性を有するゴムダンパ10が当接して設けられている。
【００１９】
ＨＤＤ８はゴムダンパ10を介して取付部材11に固定されている。図３（ｂ）は図３（ａ）に示すＨＤＤ８と取付部材11との接続構造を示す拡大断面図である。ゴムダンパ10は取付部材11に設けられた切り欠き部11ａに軸方向中央部が挿入されて挟持されている。ゴムダンパ10の内部には軸方向に貫通穴10ａが設けられており、該貫通穴10ａ内部には筒状のスペーサ12が挿入されている。
【００２０】
そして、スペーサ12の内部に固定部材となるビス13を挿入してＨＤＤ８の壁面部に設けられたネジ穴８ｃに螺合締結することでゴムダンパ10をビス13によってＨＤＤ８に固定する。これによりＨＤＤ８はゴムダンパ10を介して取付部材11に固定される。
【００２１】
図３（ｂ）に示すように、ゴムダンパ10の取付部材11に設けられた切り欠き部11ａが対向する部位の半径方向である矢印Ｄ方向の長さよりも、ゴムダンパ10の軸方向である矢印Ｃ方向の長さが長い。このため図３（ｂ）の矢印Ｃ方向により大きな防振効果を発揮することが出来る。
【００２２】
図４は収容ユニット４の構成を示す斜視説明図である。収容ユニット４に設けられる取付部材11の図３及び図４に示す上部には突起部14が設けられており、ＨＤＤユニット３の側面部（正面部）にはユーザが操作する操作部15が設けられている。
【００２３】
図５は図４に示すＨＤＤユニット３を収容する収容ユニット４と、装置本体フレーム２との固定構造を示す断面説明図である。図５に示すように、収容ユニット４は箱体16（取付部材）の一面に設けられた第二の防振部材となる弾性を有するゴムダンパ17を介して装置本体フレーム２に固定されている。本実施形態のゴムダンパ17は取付部材11のＨＤＤ８とは反対側に位置し、箱体16（取付部材）の少なくとも一面に取り付けられる。これにより、図３及び図５に示すように、ＨＤＤ８がゴムダンパ10、取付部材11、箱体16（取付部材）、ゴムダンパ17を介して装置本体フレーム２に固定して取り付けられる。
【００２４】
図３に示すように、ゴムダンパ10が取付部材11に取り付けられている取付方向は、図３の矢印Ｂ方向で示すディスク29平面に平行な短手方向（図３（ａ）の上下方向）である。一方、ゴムダンパ17が箱体16（取付部材）に取り付けられている取付方向は、図５の矢印Ｇ方向で示すディスク29平面に垂直な方向（図５の左右方向）である。これによりゴムダンパ10が取付部材11に取り付けられている取付方向と、ゴムダンパ17が箱体16（取付部材）に取り付けられている取付方向とが、少なくとも１つ以上は異なる（直交する）取付方向に取り付けられている。
【００２５】
図５に示すように、箱体16の内側の上面と下面にはレール部材18が設けられている。図６は収容ユニット４の箱体16内にＨＤＤユニット３が収納される様子を示す斜視説明図である。図６に示すように、ユーザが摘み部７を把持して扉６をヒンジ５を中心に図６の矢印Ｅ方向に回動して開放すると、箱体16が開口する。ＨＤＤユニット３はＨＤＤユニット３の上下に設けられた突起部14が箱体16の内側上下に設けられたレール部材18に摺動自在に嵌合して該レール部材18上を滑って図６の矢印Ｆ方向に挿入することが出来る。収容ユニット４の箱体16内に挿入されたＨＤＤユニット３はユーザが扉６を閉めることで安置される。
【００２６】
図７は収容ユニット４の箱体16内にＨＤＤユニット３が安置された様子を扉６側から見た正面説明図である。図７に示すように、ＨＤＤ８は、図７の矢印Ｂ方向で示すディスク29平面に平行な短手方向（図７の上下方向）に取り付けられたゴムダンパ10を介して箱体16に接続される。
【００２７】
図３（ｂ）に示すように、取付部材11の切り欠き部11ａにゴムダンパ10が挟み込まれて挟持され、ゴムダンパ10はビス13を介してＨＤＤ８に固定される。更に、図７に示すように、取付部材11の上下部に設けられた突起部14が箱体16に設けられたレール部材18に係合して取付部材11と箱体16とが係合される。箱体16は図７の矢印Ｇ方向で示すディクス平面に垂直な方向（図７の左右方向）に取り付けられたゴムダンパ17を介して装置本体フレーム２に接続される。
【００２８】
尚、ゴムダンパ17は装置本体フレーム２に設けられた図示しない切り欠き部に軸方向中央部が挿入されて挟持されている。ゴムダンパ17の内部には軸方向に貫通穴が設けられており、該貫通穴内部には図示しない筒状のスペーサが挿入されている。そして、スペーサの内部に固定部材となるビス13を挿入して箱体16の壁面部に設けられたネジ穴に螺合締結することでゴムダンパ17をビス13によって箱体16に固定する。これにより箱体16はゴムダンパ17を介して装置本体フレーム２に固定される。
【００２９】
ＨＤＤ８の固有振動数は、ＨＤＤ８の重量と、ゴムダンパ10の硬度や形状とを適宜設定することで、所望の固有振動数に適宜設定することが可能である。ゴムダンパ10は図３（ｂ）の矢印Ｃ方向で示すビス13の固定方向（図３（ｂ）の上下方向）の振動を低減させる働きが有る。しかし、図３（ｂ）の矢印Ｃ方向以外の方向についてはゴムダンパ10としての効力は期待できない。このため図３（ａ）の矢印Ｂ方向で示すＨＤＤ８のディスク29平面に平行な短手方向（図３（ａ）の上下方向）の振動に対するＨＤＤ８の固有振動数のみを設定する。
【００３０】
また、固定装置１全体（固定装置全体）の固有振動数は、図６に示す収容ユニット４全体の重量と、ゴムダンパ17の硬度や形状とを適宜設定することで、収容ユニット４全体の固有振動数（固定装置１全体の固有振動数）を適宜設定することが出来る。
【００３１】
図５に示すように、装置本体フレーム２と収容ユニット４の箱体16との間にあるゴムダンパ17は、図５の矢印Ｇ方向で示すＨＤＤ８のディスク29平面に垂直な方向（図５の左右方向）に取り付けられている。このため図５の矢印Ｇ方向で示すＨＤＤ８のディスク29平面に垂直な方向（図５の左右方向）の振動に対する収容ユニット４全体の固有振動数（固定装置１全体の固有振動数）のみを設定する。
【００３２】
ＨＤＤ８には不具合の起き難い振動数と、特に不具合が起き易い特定の振動数（振動帯域）が存在する。不具合が起き易い特定の振動数（振動帯域）は、図７の矢印Ｂ方向で示すＨＤＤ８のディスク29平面に平行な短手方向である。更に、図６の矢印Ｈ方向で示すＨＤＤ８のディスク29平面に平行な長手方向である。更に、図７の矢印Ｇ方向で示すＨＤＤ８のディスク29平面に垂直な方向で各々異なっている。
【００３３】
これはＨＤＤ８の磁気ヘッドの配置に関係している。不具合が起き易い特定の振動数（振動帯域）はＨＤＤ８を製造した製造メーカや製品型番によって異なる。ＨＤＤ８を製造した製造メーカや製品型番によって不具合が起き易い特定の振動数（振動帯域）を予め測定することで把握できる。
【００３４】
不具合が起き易い特定の振動数（振動帯域）は前述した各方向毎に異なる。そのため各方向毎にＨＤＤ８の固有振動数とは異なる収容ユニット４全体の固有振動数（固定装置１全体の固有振動数）を設定する。これにより苦手な振動数（振動帯域）外に収容ユニット４全体の固有振動数（固定装置１全体の固有振動数）を設定し、ＨＤＤ８の振動による不具合を防止する。
【００３５】
取付部材11や箱体16を含めたＨＤＤ８の固定装置１全体の固有振動数をＨＤＤ８の固有振動数と異なる固有振動数にする。或いは、図12に示すように、取付部材11や箱体16を含めたＨＤＤ８の固定装置１全体の固有振動数を、ＨＤＤ８内（筐体内）に設置された磁気ヘッド27が取り付けられているスイングアームからなる支持部材28の固有振動数と異なる固有振動数にする。これにより、磁気ヘッド27の振動を抑えることが可能である。
【実施例２】
【００３６】
次に、図８〜図11を用いて本発明に係る固定装置の第２実施形態の構成について説明する。尚、前記第１実施形態と同様に構成したものは同一の符号、或いは符号が異なっても同一の部材名を付して説明を省略する。
【００３７】
前記第１実施形態では、ＨＤＤ８に対してゴムダンパ10により図７の矢印Ｂ方向で示すディスク29平面に平行な短手方向（図７の上下方向）の防振を行う。そして、ＨＤＤ８に対してゴムダンパ17により図７の矢印Ｇ方向で示すディクス平面に垂直な方向（図７の左右方向）の防振を行う。この２方向に対して防振を行っていた。
【００３８】
本実施形態では、図10（ｂ）に示すように、筐体となるＨＤＤ８に対してＨＤＤ８の一面に第一の防振部材となるゴムダンパ９が取り付けられる。そして、ゴムダンパ９により図10（ｂ）の矢印Ｈ方向で示すＨＤＤ８のディスク29平面に平行な長手方向（図10（ｂ）の左右方向）に対しても防振を行う。
【００３９】
記憶装置となるハードディスク29が設けられた筐体となるＨＨＤ８を装置本体フレーム２に固定する本実施形態の固定装置１は、図８に示すように、ＨＤＤ８に対して図８の矢印Ｂ，Ｇ，Ｈ方向で示す３方向において防振を行う。図９（ｂ）に示すように、ＨＤＤ８に設けられる電気端子と、装置本体の電気端子とを電気的に接続する接続部材として可撓性の電気ケーブル21が設けられている。
【００４０】
可撓性を有する電気ケーブル21によりＨＤＤ８に設けられる電気端子と、装置本体の電気端子とを電気的に接続することで、図８の矢印Ｂ，Ｇ，Ｈ方向で示す互いに直交する３方向の全てにおいて装置本体フレーム２からＨＤＤ８に振動が伝わらない。
【００４１】
図８及び図10（ｂ）に示すように、ＨＤＤユニット３は、収容ユニット４の箱体16内に図８の矢印Ｉ方向に挿入することで安置される。収容ユニット４は装置本体フレーム２に第二の防振部材となる弾性を有するゴムダンパ24を介して取り付けられた断面Ｌ字形状の取付部材23にゴムダンパ９を介して取り付けられる。
【００４２】
図10（ｂ）に示すように、ゴムダンパ９を取り付ける取付部材23のＨＤＤ８とは反対側にゴムダンパ24が位置して設けられる。ゴムダンパ24は取付部材23の少なくとも一面に取り付けられる。収容ユニット４の箱体16内に収容されたＨＤＤ８は、ゴムダンパ９、取付部材23、ゴムダンパ24を介して装置本体フレーム２に取り付けられる。ゴムダンパ９が取付部材23に取り付けられている取付方向（図10（ｂ）の左右方向）と、ゴムダンパ24が取付部材23に取り付けられている取付方向（図10（ｂ）の上下方向）とが、少なくとも1つ以上は異なる取り付け方向に取り付けられている。
【００４３】
また、前記第１実施形態と同様に、記憶装置となるハードディスク29が設けられた筐体となるＨＨＤ８の個有振動数は、収容ユニット４全体の固有振動数（固定装置１全体の固有振動数）と異なるように設定される。或いは、取付部材23や箱体16を含めたＨＤＤ８の固定装置１全体の固有振動数を、ＨＤＤ８内（筐体内）に設置された磁気ヘッドが取り付けられている支持部材の固有振動数と異なる固有振動数にする。これにより、磁気ヘッドの振動を抑えることが可能である。
【００４４】
図９（ａ）はＨＤＤユニット３をＨＤＤ８を挿入する開口側から見た構成を示す正面図である。筐体となるＨＤＤ８は該ＨＤＤ８の一面に取り付けられた第一の防振部材となるゴムダンパ10を介して断面コ字形状の取付部材11に取り付けられている。ゴムダンパ10の固定方法は図３（ｂ）に示して前述したと同様であるため重複する説明は省略する。
【００４５】
また、取付部材11の図９（ａ）に示す上下には突起部14が設けられている。突起部14は図10（ａ）に示す収容ユニット４の箱体16の内側の上下壁面に設けられるレール部材18に摺動自在に係合する。
【００４６】
ゴムダンパ10を介して取付部材11に取り付けられたＨＤＤ８は、取付部材11に対して図９（ａ）の矢印Ｇ方向で示すＨＤＤ８のディスク29平面に垂直な方向（図９（ａ）の左右方向）においてのみ防振能力を得ることが出来る。ＨＤＤ８の重量と、ゴムダンパ10の硬度や形状を適宜設定することで、図９（ａ）の矢印Ｇ方向で示すＨＤＤ８のディスク29平面に垂直な方向（図９（ａ）の左右方向）の振動に対してのみＨＤＤ８の固有振動数を適宜設定することが出来る。
【００４７】
図９（ｂ）はＨＤＤユニット３の構成を示す斜視図である。図９（ｂ）に示すように、取付部材11の後面板11ｂに設けられた装置本体の電気端子となるコネクタ部19を有する。更に、記憶装置となるハードディスク29が設けられた筐体となるＨＤＤ８に設けられた電気端子となるコネクタ部20とを有する。コネクタ部19とコネクタ部20とは可撓性を持った接続部材となる電気ケーブル21によって電気的に接続される。
【００４８】
ゴムダンパ10により取付部材11からＨＤＤ８に対して図９（ａ）の矢印Ｇ方向で示すＨＤＤ８のディスク29平面に垂直な方向（図９（ａ）の左右方向）の振動を伝えない。
【００４９】
図10（ａ）は収容ユニット４をＨＤＤユニット３を挿入する開口側から見た収容ユニット４と装置本体フレーム２との固定構造を示す正面図である。箱体16の内側の上下壁面にはレール部材18が設けられている。また、箱体16の奥側の壁面には装置本体の電気端子となるコネクタ部22が設けられている。
【００５０】
図10（ｂ）は収容ユニット４と装置本体フレーム２との固定構造を示す側面から見た断面説明図である。収容ユニット４は第一の防振部材となるゴムダンパ９を介して取付部材23に取り付けられている。これにより収容ユニット４は図10（ｂ）の矢印Ｈ方向で示すＨＤＤ８のディスク29平面に平行な長手方向（図10（ｂ）の左右方向）にのみ防振能力を得る。
【００５１】
上記構成により収容ユニット４全体の重量と、第一の防振部材であるゴムダンパ９の硬度や形状を適宜設定する。これにより図10（ｂ）の矢印Ｈ方向で示すＨＤＤ８のディスク29平面に平行な長手方向（図10（ｂ）の左右方向）の振動に対して収容ユニット４全体の固有振動数を適宜設定することが出来る。
【００５２】
図10（ｂ）に示すように、取付部材23は第二の防振部材となるゴムダンパ24を介して装置本体フレーム２に固定されている。ゴムダンパ24により収容ユニット４は図10（ｂ）の矢印Ｂ方向で示すＨＤＤ８のディスク29平面に平行な短手方向（図10（ｂ）の上下方向）にのみ防振能力を得る。
【００５３】
このため収容ユニット４全体の重量と、第二の防振部材であるゴムダンパ24の硬度や形状を適宜設定する。これにより図10（ｂ）の矢印Ｂ方向で示すＨＤＤ８のディスク29平面に平行な短手方向（図10（ｂ）の上下方向）の振動に対して収容ユニット４全体の固有振動数が設定可能である。
【００５４】
また、箱体16の後面板16ａに設けられた装置本体の電気端子となるコネクタ部26は装置本体フレーム２に設けられた電気端子となる図示しないコネクタ部と可撓性を持った接続部材となる電気ケーブル25により電気的に接続されている。これにより装置本体フレーム２の振動を箱体16に伝達させることはない。
【００５５】
図11は収容ユニット４内にＨＤＤユニット３が挿入された様子を示す正面説明図である。図９（ｂ）に示すように、ＨＤＤ８に設けられたコネクタ部20と、取付部材11の後面板11ｂに設けられたコネクタ部19とが電気ケーブル21により電気的に接続される。
【００５６】
更に、図９（ｂ）に示す取付部材11の後面板11ｂに設けられたコネクタ部19と、図10（ｂ）に示す箱体16の後面板16ａに設けられたコネクタ部26とが電気的に接続される。更に、図10（ｂ）に示すように、箱体16の後面板16ａに設けられたコネクタ部26と、装置本体フレーム２の図示しないコネクタ部とが電気ケーブル25により電気的に接続される。
【００５７】
これによりＨＤＤ８のコネクタ部20は可撓性を有する電気ケーブル21，25を介して装置本体フレーム２の図示しないコネクタ部に電気的に接続され、装置本体フレーム２の振動をＨＤＤ８に伝達しない。
【００５８】
上記構成により収容ユニット４から取り出し可能なＨＤＤユニット３は該収容ユニット４内に挿入するだけでＨＤＤ８のコネクタ部20と、装置本体フレーム２の図示しないコネクタ部とが電気的に接続される。
【００５９】
また、ＨＤＤ８、取付部材11，23の重量やゴムダンパ９，10，24の硬度や形状を適宜設定する。これにより図８の矢印Ｂ方向で示すＨＤＤ８のディスク29平面に平行な短手方向（図８の上下方向）のＨＤＤ８の固有振動数を適宜設定することが出来る。また、図８の矢印Ｇ方向で示すＨＤＤ８のディスク29平面に垂直な方向（図９（ａ）の左右方向）のＨＤＤ８の固有振動数を適宜設定することが出来る。また、図８の矢印Ｈ方向で示すＨＤＤ８のディスク29平面に平行な長手方向（図10（ｂ）の左右方向）の各方向毎にＨＤＤ８の固有振動数を適宜設定することが出来る。
【００６０】
これにより、図８の矢印Ｂ，Ｇ，Ｈ方向の各方向毎に特に不具合が起き易い特定の周波域外にＨＤＤ８の固有振動数を設定することが可能である。また、図８の矢印Ｉ方向で示すＨＤＤユニット３の挿入方向に図10（ｂ）に示す第一の防振部材であるゴムダンパ９の取付方向を設定する。これにより、ＨＤＤユニット３を収容ユニット４内に挿入する際のＨＤＤ８の衝撃を緩和することが出来る。
【００６１】
ＨＤＤ８は、図８の矢印Ｂ方向で示すＨＤＤ８のディスク29平面に平行な短手方向が最も振動による不具合が現れ易い。次に、図８の矢印Ｈ方向で示すＨＤＤ８のディスク29平面に平行な長手方向に振動による不具合が現れ易い。更にその次に、図８の矢印Ｇ方向で示すＨＤＤ８のディスク29平面に垂直な方向の順に振動による不具合が現れ易い。
【００６２】
そこで、先ず、図８の矢印Ｇ方向で示すＨＤＤ８のディスク29平面に垂直な方向に図９（ａ）に示すゴムダンパ10を取り付ける。次に、図８の矢印Ｈ方向で示すＨＤＤ８のディスク29平面に平行な長手方向に図10（ｂ）に示すゴムダンパ９を取り付ける。次に、図８の矢印Ｂ方向で示すＨＤＤ８のディスク29平面に平行な短手方向に図10（ｂ）に示すゴムダンパ24を取り付ける。
【００６３】
この順にＨＤＤ８に防振部材となる図９（ａ）に示すゴムダンパ10、図10（ｂ）に示すゴムダンパ９，24を取り付けると不具合が出易い方の方向の重量が重くなる。このためＨＤＤ８の固有振動数が下がり、ＨＤＤ８の不具合に対してより効果的である。他の構成は前記第１実施形態と同様に構成され、同様の効果を得ることが出来る。
【符号の説明】
【００６４】
１    …固定装置
２    …装置本体フレーム（装置本体）
８    …ＨＤＤ(筐体)
10    …ゴムダンパ（第一の防振部材）
11    …取付部材
17    …ゴムダンパ（第二の防振部材）
【図１】
2015049913.tif 000003
【図２】
2015049913.tif 000004
【図３】
2015049913.tif 000005
【図４】
2015049913.tif 000006
【図５】
2015049913.tif 000007
【図６】
2015049913.tif 000008
【図７】
2015049913.tif 000009
【図８】
2015049913.tif 000010
【図９】
2015049913.tif 000011
【図１０】
2015049913.tif 000012
【図１１】
2015049913.tif 000013
【図１２】
2015049913.tif 000014